(57)【要約】【課題】記録されている画像データの中から特殊目的で撮影された画像データを容易に見つけることができる撮像装置を提供する。【解決手段】本発明の撮像装置２は、被写体光を撮像する撮像素子６１と、撮像素子６１から出力される撮像信号に基づく画像データを記憶する記憶部（画像データ記憶部６２）と、撮像素子６１上に被写体光が導かれない暗黒状態であることを検出する検出部（レンズキャップセンサ４１）と、検出部により暗黒状態であることが検出されている状況下において、記憶部に撮像素子６１から出力される撮像信号に基づく画像データを記憶する場合には、その記憶される画像データのヘッタ部に暗黒状態での撮影であることを示す情報を書き込む書込部（ＣＰＵ６０）とを備える。【選択図】  図１
2009016994.tif 000002
【特許請求の範囲】
【請求項１】
被写体光を撮像する撮像素子と、
前記撮像素子から出力される撮像信号に基づく画像データを記憶する記憶部と、
前記撮像素子上に前記被写体光が導かれない暗黒状態であることを検出する検出部と、
前記検出部により前記暗黒状態であることが検出されている状況下において、前記記憶部に前記撮像素子から出力される撮像信号に基づく画像データを記憶する場合には、その記憶される画像データのヘッタ部に前記暗黒状態での撮影であることを示す情報を書き込む書込部と
を備えることを特徴とする撮像装置。
【請求項２】
前記書込手段は、前記ヘッタ部のＥＸＩＦタグに前記暗黒状態での撮影であることを示す情報を書き込むことを特徴とする請求項１記載の撮像装置。
【請求項３】
前記撮像素子の撮像面に被写体像を形成する撮影レンズを備え、
前記検出部は、前記撮影レンズにレンズキャップが装着されていることを検出するレンズキャップ検出部を有し、
前記書込部は、前記ヘッタ部へ前記レンズキャップが装着されていることを示す情報を書き込むことを特徴とする請求項１または請求項２記載の撮像装置。
【請求項４】
前記レンズキャップ検出部は、前記撮影レンズの先端部に設けられたレンズキャップセンサを有することを特徴とする請求項３記載の撮像装置。
【請求項５】
前記撮影レンズは、カメラ本体との間で通信を行う通信部を備え、
前記通信部は、前記検出部により検出された結果を前記カメラ本体に対して送信することを特徴とする請求項３または請求項４記載の撮像装置。
【請求項６】
前記検出部は、レンズマウントにマウントキャップが装着されていることを検出するマウントキャップ検出部を有し、
前記書込部は、前記ヘッタ部へ前記マウントキャップが装着されていることを示す情報を書き込むことを特徴とする請求項１または請求項２記載の撮像装置。
【請求項７】
前記マウントキャップ検出部は、前記レンズマウントに設けられたマウントキャップセンサを有することを特徴とする請求項６記載の撮像装置。
【発明の詳細な説明】
【技術分野】
【０００１】
本発明は、暗黒状態での撮影が可能な撮像装置に関するものである。
【背景技術】
【０００２】
従来、撮像装置（例えば、デジタルカメラ）ではレンズキャップの装着時には、撮影不可のメッセージを提示する等により、撮影者が意図せずにレンズキャップを装着したままで撮影してしまうこと防止している。例えば、下記特許文献１には、レンズキャップに情報を記憶した無線タグを取り付けると共に、撮影レンズに無線タグに記憶された情報を受信する情報受信装置を設け、情報受信装置において無線タグに記憶された情報が受信された場合には、所定のメッセージを表示することにより、レンズキャップを装着したままで撮影を行なおうとしている状態であることを撮影者に警告している。
【特許文献１】特開２００５−１４８５６１号公報
【発明の開示】
【発明が解決しようとする課題】
【０００３】
ところで、撮像素子における暗電流ノイズのチェック等のために、敢えてレンズキャップが装着された状態、即ち、暗黒状態で撮影を行う場合がある。ここで、暗黒状態で撮影された画像データは、別途コメント等を入力しておけば画像データのコメントを参照して暗黒状態で撮影された画像データであることを容易に判別することができるが、撮影者がコメント等の入力を行わなかった場合、記録されている画像データを一つ一つ表示して確認等することによって、暗黒状態で撮影した画像データを探さなければならない。
【０００４】
本発明の課題は、記録されている画像データの中から暗黒状態で撮影された画像データを容易に見つけることができる撮像装置を提供することである。
【課題を解決するための手段】
【０００５】
本発明の撮像装置は、被写体光を撮像する撮像素子（６１）と、前記撮像素子から出力される撮像信号に基づく画像データを記憶する記憶部（６２）と、前記撮像素子上に前記被写体光が導かれない暗黒状態であることを検出する検出部（４１）と、前記検出部により前記暗黒状態であることが検出されている状況下において、前記記憶部に前記撮像素子から出力される撮像信号に基づく画像データを記憶する場合には、その記憶される画像データのヘッタ部に前記暗黒状態での撮影であることを示す情報を書き込む書込部とを備えることを特徴とする。
【発明の効果】
【０００６】
本発明の撮像装置によれば、暗黒状態で撮影された画像データのヘッタ部に暗黒状態での撮影であることを示す情報を書き込んで記憶することができる。従って、記憶されている画像データの中から容易に暗黒状態で撮影された画像データを検索することができる。
【発明を実施するための最良の形態】
【０００７】
以下、図面を参照して本発明の第１の実施の形態に係る撮像装置について説明する。図１は、第１の実施の形態に係るデジタルカメラ２のブロック構成図である。図１に示すように、デジタルカメラ（撮像装置）２は、交換式の撮影レンズ４とカメラボディ６とを備えている。
【０００８】
撮影レンズ４には、ＣＰＵ４０が設けられており、ＣＰＵ４０には、レンズキャップ８が装着されたことを検出するレンズキャップセンサ４１が接続されている。また、ＣＰＵ４０には、カメラボディ６との間の通信を行なう撮影レンズ４側の通信部４２が接続されている。
【０００９】
カメラボディ６には、ＣＰＵ６０が設けられており、ＣＰＵ６０には、撮影レンズ４を介した被写体光を撮像して撮像信号（蓄積電荷としてのアナログ信号）を生成する撮像素子６１、撮像素子６１から出力された撮像信号を、図示しないＡ／Ｄ変換部においてＡ／Ｄ変換して画像データを生成し、この画像データを一時的に記憶する画像データ記憶部６２、カメラボディ６の背面に配置され画像データの表示を行なうＬＣＤにより構成される表示部６３、撮像素子６１から出力される撮像信号に基づく画像の表示部６３への表示等を制御する表示制御部６４、撮像素子６１から出力される撮像信号に基づく画像データに、ホワイトバランス調整、輪郭補償、ガンマ補正等の画像処理を行なう画像処理部６５、撮像された画像データを記憶するメモリカード６６及び撮影レンズ４との間の通信を行なうカメラボディ６側の通信部６７が接続されている。
【００１０】
図２は、第１の実施の形態に係るレンズキャップとレンズキャップセンサの一例を示す図である。図２に示すように、レンズキャップ８の撮影レンズ４に対向する面には、レンズキャップ８を撮影レンズ４の先端部に装着するための爪部８ａが設けられている。撮影レンズ４の先端部には、レンズキャップ８の爪部８ａに対向する位置に爪部８ａが挿入される爪受部４ａが設けられており、１つの爪受部４ａ（図において撮影レンズ４の下部に示す爪受部４ａ）内には、レンズキャップセンサ４１が設けられている。レンズキャップ８が撮影レンズ４に装着されることによりレンズキャップ８に設けられた爪部８ａが撮影レンズ４に設けられた爪受部４ａに差し込まれると、レンズキャップセンサ４１によりレンズキャップ８が撮影レンズ４に装着されたことが検出される。この検出結果は不図示の通信ラインを介してＣＰＵ４０へ伝達される。なお、カメラボディ６に撮影レンズ４が装着された状態で図示しない電源ボタンを操作してデジタルカメラ２の電源をＯＮにすると、通信部６７及び通信部４２を介してカメラボディ６（ＣＰＵ６０）と撮影レンズ４（ＣＰＵ４０）との間における通信が開始される。そして、撮影レンズ４にレンズキャップ８が装着されているか否かを示す信号が撮影レンズ４からカメラボディ６に対して送信される。
【００１１】
次に、図３のフローチャートを参照して、第１の実施の形態に係るデジタルカメラ２の動作、即ち、カメラボディ６に撮影レンズ４が装着されている場合（図１に示す状態）におけるデジタルカメラ２の動作について説明する。
【００１２】
まず、デジタルカメラ２の図示しない電源ボタンが操作されデジタルカメラ２の電源がＯＮにされると（ステップＳ１０）、カメラボディ６とカメラボディ６に装着されている撮影レンズ４との間で通信が開始される（ステップＳ１１）。即ち、カメラボディ６の通信部６７及び撮影レンズ４の通信部４２を介した通信が行なわれ、レンズキャップ８の装着・非装着の検出結果を含む所定のデータが撮影レンズ４からカメラボディ６に対して送信される。なお、レンズキャップ８が装着されていることが検出されなかった場合には（ステップＳ１２）、後述するステップＳ１６の処理に進む。
【００１３】
撮影レンズ４にレンズキャップ８が装着されていることが検出された場合には（ステップＳ１２）、表示部６３に撮影者に対する所定の警告を表示する（ステップＳ１３）。即ち、表示制御部６４による制御に基づき、所定の警告メッセージ、例えば、「レンズキャップが装着されています。このまま撮影しますか？」等の警告メッセージが表示される。ここで、表示部６３には、警告メッセージと共に、例えば、「Ｙ」及び「Ｎ」アイコンが表示され、撮影者は、「Ｙ」又は「Ｎ」のどちらかを図示しない選択ボタンを用いて指定することにより、撮影するか否かを選択することができる。なお、アイコン「Ｙ」は、撮影する場合に選択し、アイコン「Ｎ」は、撮影しない場合に選択するものとする。なお、この時にレリーズ釦の半押し操作が行われた場合には、撮影の意志有りとみなして、上述のアイコン「Ｙ」が選択されたのと同様に処理するよう構成しても良い。
【００１４】
撮影者により撮影しないことが選択された場合には（ステップＳ１４）、撮影不可能な状態、例えば、レリーズボタン（図示省略）の全押しが不可能な状態とし、撮影不可能状態にする（ステップＳ１５）。
【００１５】
一方、撮影者により撮影レンズ４にレンズキャップ８が装着されたままで撮影することが選択された場合には（ステップＳ１４）、レリーズボタンの全押しが可能な状態となり、撮像素子６１上に被写体光が導かれない暗黒状態での撮像を可能な状態とする（ステップＳ１６）。
【００１６】
レリーズボタンが全押しされた場合には（ステップＳ１６）、暗黒状態において撮像素子６１により撮像が行なわれ（ステップＳ１７）、撮像素子６１から出力される撮像信号に基づく画像データが画像データ記憶部６２に記憶される（ステップＳ１８）。ここで、画像データを記憶する場合には、記憶される画像データのヘッタ部に、撮影レンズ４にレンズキャップ８が装着された状態、即ち、暗黒状態で撮影された画像データであることを示す情報が書き込まれ、画像データ記憶部６２に記憶される。その後、この画像データは、画像データ記憶部６２から読出されて、メモリーカード６６に記憶される。なお、暗黒状態で撮影されたことを示す情報は、例えば、レンズキャップの装着を示す情報であり、画像データのヘッタ部のＥＸＩＦタグに所定のフラグを立てることによって、他の画像データと識別可能な状態で記憶される。
【００１７】
本第１の実施の形態に係る撮像装置によれば、撮影者が意図して撮影レンズにレンズキャップを装着した状態（暗黒状態）で撮影を行なった場合に、暗黒状態での撮影であることを示す情報を画像データのヘッタ部に記録することができる。即ち、別途コメント等を入力することなく、撮影動作（画像記録動作）と同期して自動的にレンズキャップの装着を示す情報がヘッタ部に記録されているため、記憶されている複数の画像データの中から、暗黒状態で撮影された画像データを容易に検索することができる。また、レンズキャップが装着された状態で撮影した画像データを識別可能に記憶しているため、記憶されている画像データを用いて、容易に撮像素子の暗電流ノイズ等を容易にチェックすることができる。
【００１８】
なお、上述の第１の実施の形態においては、交換式の撮影レンズ４においてレンズキャップが装着されていることを検出し、撮影レンズ４とカメラボディ６との間で通信を行なうことにより、撮影レンズ４にレンズキャップ８が装着されていることをカメラに通知し、画像データと共にレンズキャップが装着されていることを示すデータを記憶しているが、カメラボディに固定されている撮影レンズにレンズキャップが装着されていることを検出し、画像データにレンズキャップが装着されていることを示すデータを記憶するようにしてもよい。
【００１９】
図４は、第２の実施の形態に係るデジタルカメラのブロック構成図である。なお、第２の実施の形態に係るデジタルカメラ２０については、第１の実施の形態に係るデジタルカメラ２と同様の構成についての詳細な説明は省略し、異なる部分について説明を行なう。また、第１の実施の形態に係るデジタルカメラ２と同一の構成には、第１の実施の形態で用いたのと同一の符号を用いて説明を行なう。
【００２０】
デジタルカメラ２０は、撮影レンズが装着される部分に設けられたレンズマウントＬＭにレンズマウントキャップ（以下、ＬＭキャップという。）１０が装着されたことを検出するレンズマウントキャップセンサ（以下、ＬＭキャップセンサという。）６８が設けられており、ＬＭキャップセンサ６８はＣＰＵ６０に接続されている。
【００２１】
ＬＭキャップ１０は、第１の実施の形態に係るレンズキャップ８と同様に、ＬＭキャップ１０のレンズマウントＬＭと対向する面には、ＬＭキャップ１０をレンズマウントＬＭに装着するための爪部（図示省略）が設けられている。レンズマウントＬＭには、ＬＭキャップ１０の爪部に対向する位置に爪部が挿入される爪受部（図示省略）が設けられており、１つの爪受部内には、ＬＭキャップセンサ６８が設けられている。ＬＭキャップ１０がレンズマウントＬＭに装着されることにより、ＬＭキャップ１０に設けられた爪部がレンズマウントＬＭに設けられた爪受部に差し込まれると、ＬＭキャップセンサ６８によりＬＭキャップ１０がレンズマウントＬＭに装着されたことが検出される。
【００２２】
図５は、本発明の第２の実施の形態に係るデジタルカメラ（撮像装置）２０の動作について説明するためのフローチャートである。なお、第２の実施の形態においては、撮影レンズが装着されていない状態におけるデジタルカメラ２０の動作について説明する。
【００２３】
まず、デジタルカメラ２０の図示しない電源ボタンが操作され電源がＯＮにされると（ステップＳ２０）、ＬＭキャップセンサ６８においてＬＭキャップ１０が装着されているか否かの検出が行なわれる（ステップＳ２１）。
【００２４】
ＬＭキャップ１０の装着が検出された場合には（ステップＳ２１）、表示部６３に撮影者に対する所定の警告を表示する（ステップＳ２２）。即ち、レンズマウントＬＭにＬＭキャップ１０が装着されている場合には、デジタルカメラ２０に撮影レンズが装着されておらず、通常の撮影を行なうのが不可能な状態であるため、例えば、「レンズが装着されていません。このまま撮影しますか？」等の警告メッセージが表示部６３に表示される。この場合には、第１の実施の形態と同様に、警告メッセージと共に「Ｙ」及び「Ｎ」のアイコンが表示部６３に表示される。
【００２５】
ＬＭキャップ１０の装着が検出されなかった場合（ステップＳ２１）、撮影レンズが装着されておらず、かつ、暗黒状態でもないため、撮影不可能な状態として（ステップＳ２４）、処理を終了する。同様に、撮影しないことが選択された場合にも（ステップＳ２３）、撮影不可能な状態として（ステップＳ２４）、処理を終了する。
【００２６】
一方、アイコン「Ｙ」の選択により、レンズマウントＬＭにＬＭキャップ１０が装着された状態で、即ち暗黒状態で撮影することが選択された場合には（ステップＳ２３）、待機状態となり、レリーズボタンが全押しされるのを待つ（ステップＳ２５）。
【００２７】
レリーズボタンが全押しされた場合には（ステップＳ２５）、暗黒状態において撮像素子６１により撮像が行なわれ（ステップＳ２６）、撮像素子６１から出力される撮像信号に基づく画像データが画像データ記憶部６２に記憶される（ステップＳ２７）。ここで、画像データを記憶する場合には、記憶される画像データのヘッタ部に、レンズマウントＬＭにＬＭキャップ１０が装着された状態、即ち、撮影レンズが装着されておらず、かつレンズマウントＬＭにＬＭキャップ１０が装着された状態である暗黒状態で撮影された画像データであることを示す情報が書き込まれ、画像データ記憶部６２に記憶され、その後、メモリカード６６に記憶される。なお、暗黒状態で撮影されたことを示す情報は、例えば、ＬＭキャップの装着を示す情報であり、画像データのヘッタ部のＥＸＩＦタグに所定のフラグを立てることによって、他の画像データと識別可能な状態で記憶される。
【００２８】
本第２の実施の形態に係る撮像装置によれば、ＬＭキャップが装着されている暗黒状態で撮像を行い、ＬＭキャップが装着されていることを示すデータを画像データのヘッタ部に記録して画像データを記憶することができる。即ち、撮影レンズが装着されていない状態で、かつ、ＬＭキャップが装着された状態で撮影された画像データ（ＬＭキャップ装着画像データ）を、別途コメントの入力等を行うことなく、他の画像データと識別可能に記憶することがきるため、記憶されている画像データの中から効率的にＬＭキャップ装着画像データを検索し、撮像素子の暗電流ノイズのチェック等を容易に行なうことができる。
【００２９】
また、第２の実施の形態によれば、ＬＭキャップが装着されていれば、撮影レンズが装着されていない状態での撮影が可能なため、例えば、生産ライン等において製品チェックのために撮像を行なう際に、撮影レンズを装着する必要がなく、効率的な製品チェックを行なうことができる。
【００３０】
上述の実施の形態によれば、ＥＸＩＦタグに記録されている情報を確認することにより、暗黒状態で撮像された画像か否かを確認することができ、記憶されている画像を表示部に表示して確認する必要がないため、効率的に暗黒状態で撮像された画像を探すことができる。また、撮影者が暗黒状態で撮影したことを忘れている場合であっても、タグの記録によって、意図して撮影した画像であることを容易に確認することができる。
【００３１】
なお、上述の各実施の形態においては、レンズキャップセンサ４１を用いてレンズキャップ８が撮影レンズ４に装着されていることを検出し、ＬＭキャップセンサ６８を用いてＬＭキャップ１０がレンズマウントＬＭに装着されていることを検出しているが、カメラボディ６内の撮像素子６１の近傍に光源を設け、この光源から放射されレンズキャップ８またはＬＭキャップ１０により反射された光を撮像素子６１により検出することにより、レンズキャップ８が撮影レンズ４に装着されていること、またはＬＭキャップ１０がレンズマウントＬＭに装着されていることを検出するようにしても良い。また、レンズキャップ８またはＬＭキャップ１０により反射された光を検出するために、撮像素子６１の近傍に撮像素子６１とは別のセンサを設けても良い。
【図面の簡単な説明】
【００３２】
【図１】第１の実施の形態に係るデジタルカメラのブロック構成図である。
【図２】第１の実施の形態に係るレンズキャップ及びレンズキャップセンサの一例を示す図である。
【図３】第１の実施の形態に係るデジタルカメラの動作を説明するためのフローチャートである。
【図４】第２の実施の形態に係るデジタルカメラのブロック構成図である。
【図５】第２の実施の形態に係るデジタルカメラの動作を説明するためのフローチャートである。
【符号の説明】
【００３３】
２・・・デジタルカメラ、４・・・撮影レンズ、４ａ・・・爪受部、６・・・カメラボディ、８・・・レンズキャップ、８ａ・・・爪部、１０・・・ＬＭキャップ、４０・・・ＣＰＵ、４１・・・レンズキャップセンサ、４２・・・通信部、６０・・・ＣＰＵ、６１・・・撮像素子、６２・・・画像データ記憶部、６３・・・表示部、６４・・・表示制御部、６５・・・画像処理部、６６・・・メモリーカード、６７・・・通信部、６８・・・ＬＭキャップセンサ、ＬＭ・・・レンズマウント。
【図１】
2009016994.tif 000003
【図２】
2009016994.tif 000004
【図３】
2009016994.tif 000005
【図４】
2009016994.tif 000006
【図５】
2009016994.tif 000007